(57)【要約】【課題】  ハードウェアを追加しなくても、高品質の３次元映像をディスプレイすることができる【解決手段】  本発明は、３次元映像ディスプレイ方法において、送信された３次元映像信号を左映像フレームと右映像フレームに分離する段階と、前記左映像フレームと右映像フレームをそれぞれのフレームメモリーに順次に保存する段階と、前記左映像フレームに基づいて動き予測及び動き補償を通じて左補間フレームを生成する段階と、前記右映像フレームに基づいて動き予測及び動き補償を通じて右補間フレームを生成する段階と、前記左映像フレームと右映像フレーム及び前記左補間フレームと右補間フレームを交代でディスプレイ装置に表示する段階と、を含む。【選択図】      図４
2011114861.tif 000002
【特許請求の範囲】
【請求項１】
３次元映像ディスプレイ方法において、
送信された３次元映像信号を左映像フレームと左映像フレームに分離する段階と、
前記左映像フレームと右映像フレームをそれぞれのフレームメモリーに順次に保存する段階と、
前記左映像フレームに基づいて動き予測及び動き補償を通じて左補間フレームを生成する段階と、
前記右映像フレームに基づいて動き予測及び動き補償を通じて右補間フレームを生成する段階と、
前記左映像フレームと前記右映像フレーム及び前記左補間フレームと前記右補間フレームを交代でディスプレイ装置に表示する段階と、
を含むことを特徴とする３次元映像ディスプレイ方法。
【請求項２】
前記左映像フレームと前記右映像フレームをディスプレイ装置に適切な解像度に変換する段階をさらに含むことを特徴とする請求項１に記載の３次元映像ディスプレイ方法。
【請求項３】
前記左補間フレームを生成する段階は、
フレームメモリーの現在の左映像フレームを所定の大きさの多数のブロックに分割し、前記多数のブロックを以前の左映像フレームに設定された所定の探索領域と比べて前記現在のブロックに対する左映像動きベクターを予測する段階と；
前記左映像動きベクターに基づいて前記左補間フレームを生成する段階と；
を含むことを特徴とする請求項１に記載の３次元映像ディスプレイ方法。
【請求項４】
前記左補間フレームを生成する段階は、
前記左補間フレームを前記現在の左映像フレームと前記以前の左映像フレームとの間に挿入する段階をさらに含むことを特徴とする請求項３に記載の３次元映像ディスプレイ方法。
【請求項５】
前記右補間フレームを生成する段階は、
フレームメモリーの現在の右映像フレームを所定の大きさの多数のブロックに分割し、前記多数のブロックを以前の右映像フレームに設定された所定の探索領域と比べて前記現在のブロックに対する右映像動きベクターを予測する段階と；
前記右映像動きベクターに基づいて前記右補間フレームを生成する段階と；
を含むことを特徴とする請求項１に記載の３次元映像ディスプレイ方法。
【請求項６】
前記右補間フレームを生成する段階は、
前記右補間フレームを前記現在の右映像フレームと前記以前の右映像フレームとの間に挿入する段階をさらに含むことを特徴とする請求項５に記載の３次元映像ディスプレイ方法。
【請求項７】
３次元映像ディスプレイ装置において、
送信された３次元映像信号を左映像フレームと右映像フレームに分離するデマルチプレクサー部と、
前記左映像フレームと前記右映像フレームが順次に保存されるそれぞれのフレームメモリー部と、
前記左映像フレームに基づいて動き予測及び動き補償を通じて左補間フレームを生成する中間左映像生成部と、
前記右映像フレームに基づいて動き予測及び動き補償を通じて右補間フレームを生成する中間右映像生成部と、
前記左映像フレームと前記右映像フレーム及び前記左補間フレームと前記右補間フレームを交代でディスプレイパネルに表示するパネル駆動部と、
を含むことを特徴とする３次元映像ディスプレイ装置。
【請求項８】
前記左映像フレームと前記右映像フレームを前記ディスプレイパネルに適切な解像度に変換するスケーラー部をさらに含むことを特徴とする請求項７に記載の３次元映像ディスプレイ装置。
【請求項９】
前記中間左映像生成部は、
前記フレームメモリーの現在の左映像フレームを所定の大きさの多数のブロックに分割し、前記多数のブロックを以前の左映像フレームに設定された所定の探索領域と比べて前記現在のブロックに対する左映像動きベクターを予測する左映像動き予測部と；
前記左映像動き予測部によって予測された前記左映像動きベクターに基づいて前記左補間フレームを生成する左映像動き補償部と；
を含むことを特徴とする請求項７に記載の３次元映像ディスプレイ装置。
【請求項１０】
前記左映像動き補償部は、前記左補間フレームを前記現在の左映像フレームと前記以前の左映像フレームとの間に挿入することを特徴とする請求項９に記載の３次元映像ディスプレイ装置。
【請求項１１】
前記中間右映像生成部は、
前記フレームメモリーの現在の右映像フレームを所定の大きさの多数のブロックに分割し、前記多数のブロックを以前の右映像フレームに設定された所定の探索領域と比べて前記現在のブロックに対する右映像動きベクターを予測する右映像動き予測部と；
前記右映像動き予測部によって予測された前記右映像動きベクターに基づいて前記右補間フレームを生成する右映像動き補償部と；
を含むことを特徴とする請求項７に記載の３次元映像ディスプレイ装置。
【請求項１２】
前記中間右映像生成部は、前記右補間フレームを前記現在の右映像フレームと前記以前の右映像フレームとの間に挿入することを特徴とする請求項１１に記載の３次元映像ディスプレイ装置。
【請求項１３】
３次元映像ディスプレイ方法において、
入力される３次元映像信号を一連の左映像フレームと一連の右映像フレームに分離する段階と；
前記一連の左映像フレームの中で少なくとも一つに対する左補間フレームが挿入された一連の左映像フレームを出力する段階と；
前記一連の右映像フレームの中で少なくとも一つに対する右補間フレームが挿入された一連の右映像フレームを出力する段階と；
前記左補間フレームが挿入された一連の左映像フレーム及び前記右補間フレームが挿入された一連の右映像フレームを交代でディスプレイする段階と；
を含むことを特徴とする３次元映像ディスプレイ方法。
【請求項１４】
前記左補間フレームが挿入された一連の左映像フレームを出力する段階は、
前記少なくとも一つの左映像フレームの以前の左映像フレームを利用した動き予測に基づいて前記左補間フレームを生成する段階を含み、
前記右補間フレームが挿入された一連の右映像フレームを出力する段階は、
前記少なくとも一つの右映像フレームの以前の右映像フレームを利用した動き予測に基づいて前記右補間フレームを生成する段階を含むことを特徴とする請求項１３に記載の３次元映像ディスプレイ方法。
【請求項１５】
３次元映像ディスプレイ装置において、
３次元映像信号を受信する信号受信部と；
前記信号受信部によって受信される前記３次元映像信号を一連の左映像フレームと一連の右映像フレームに分離し、前記一連の左映像フレームの中で少なくとも一つに対する左補間フレームが挿入された一連の左映像フレームと、前記一連の右映像フレームの中で少なくとも一つに対する右補間フレームが挿入された一連の右映像フレームを出力する信号処理部と；
前記信号処理部によって出力される前記左補間フレームが挿入された一連の左映像フレーム及び前記右補間フレームが挿入された一連の右映像フレームを交代でディスプレイするディスプレイ部と；
を含むことを特徴とする３次元映像ディスプレイ装置。
【発明の詳細な説明】
【技術分野】
【０００１】
本発明は、３次元映像ディスプレイ装置及びディスプレイ方法に係り、さらに詳しくは、ユーザーにさらに自然な３次元映像信号をディスプレイするために、動作予測（motion  estimation）及び動作補償（motion  compensation）を利用して中間補間フレームを生成し、元の映像フレームに挿入して出力する３次元映像ディスプレイ装置及びディスプレイ方法に関する。
【背景技術】
【０００２】
３次元立体映像技術は、左右二つの２次元映像を利用するステレオスコピック（Stereoscopic）立体映像方式がある。これは人間の視覚構造を模倣したことで、左右二つの２次元映像を利用して３次元映像を表現するステレオ立体映像方式であり、基本的な原理は、ユーザーの左眼と右眼に分離されて像が残ることによって、両眼時差による３次元立体映像を見えることができる。
【０００３】
このようなステレオスコピック方式の映像ディスプレイ装置（以下、“３次元映像ディスプレイ装置”或いは“ディスプレイ装置”と言う）に３次元映像を伝達するためには、左右映像それぞれに該当する映像データを含む信号（以下、“３次元映像信号”と言う）の送信が必要であり、次のような方式で３次元映像信号を構成して送信する。
【０００４】
まず、ピクセル単位、ライン単位、フィールド単位などで左右映像データを共に配置して一枚の映像フレームを構成して送信するｈａｌｆ  ｒｅｓｏｌｕｔｉｏｎ方式がある。この方式は、既存の２Ｄ映像信号と等しい周波数帯域幅（bandwidth）で送信することができるが、左右映像を１/２で圧縮して配置したことで解像度が半分に低下される。
【０００５】
一方、左映像と右映像をそれぞれ一枚の映像フレームで構成して送信するｆｕｌｌ  ｒｅｓｏｌｕｔｉｏｎ方式もある。この方式は、解像度は低下されないが、送信データ量が二倍で増えて周波数帯域幅を二倍に高めて送信しなければならなくて、高解像度に行けば行くほど高仕様のハードウェアが必要である。
【０００６】
従来の３次元映像ディスプレイ装置は、送信された３次元映像信号を受信して、左映像と右映像を分離し、それぞれの左右映像をスケーリングしてディスプレイ装置の解像度に適切に変換した後、左右映像を交差でディスプレイする。
【０００７】
ところが、ｈａｌｆ  ｒｅｓｏｌｕｔｉｏｎ方式で送信された３次元映像信号の場合には、ディスプレイ装置でスケーリングをしても原本映像より低下された品質の映像を得るようになる。また、ｆｕｌｌ  ｒｅｓｏｌｕｔｉｏｎ方式で送信された３次元映像信号の場合にも、データ処理量が増えるので、送信端及び受信端の両方に高いハードウェア仕様が要求される。
【発明の概要】
【発明が解決しようとする課題】
【０００８】
従って、本発明の目的は、動作予測（Motion  Estimation）及び動作補償（Motion  Compensation）機能を活用して、ハードウェアを追加しなくても、高品質の３次元映像ディスプレイ装置及びディスプレイ方法を提供することである。
【課題を解決するための手段】
【０００９】
本発明の目的を達成するため、３次元映像ディスプレイ方法において、送信された３次元映像信号を左映像フレームと右映像フレームに分離する段階と、前記左映像フレームと右映像フレームをそれぞれのフレームメモリーに順次に保存する段階と、前記左映像フレームに基づいて動き予測及び動き補償を通じて左補間フレームを生成する段階と、前記右映像フレームに基づいて動き予測及び動き補償を通じて右補間フレームを生成する段階と、前記左映像フレームと前記右映像フレーム及び前記左補間フレームと前記右補間フレームを交代でディスプレイ装置に表示する段階と、を含むことを特徴とする３次元映像ディスプレイ方法が提供される。
【００１０】
前記３次元映像ディスプレイ方法は、前記左映像フレームと前記右映像フレームをディスプレイ装置に適切な解像度に変換する段階をさらに含むことができる。
【００１１】
前記左補間フレームを生成する段階は、フレームメモリーの現在の左映像フレームを所定の大きさの多数のブロックに分割し、前記多数のブロックを以前の左映像フレームに設定された所定の探索領域と比べて前記現在のブロックに対する左映像動きベクターを予測する段階と；前記左映像動きベクターに基づいて前記左補間フレームを生成する段階と；を含むことができる。
【００１２】
前記左補間フレームを生成する段階は、前記左補間フレームを前記現在の左映像フレームと前記以前の左映像フレームとの間に挿入する段階をさらに含むことができる。
【００１３】
前記右補間フレームを生成する段階は、フレームメモリーの現在の右映像フレームを所定の大きさの多数のブロックに分割し、前記多数のブロックを以前の右映像フレームに設定された所定の探索領域と比べて前記現在のブロックに対する右映像動きベクターを予測する段階と；前記右映像動きベクターに基づいて前記右補間フレームを生成する段階と；を含むことができる。
【００１４】
前記右補間フレームを生成する段階は、前記右補間フレームを前記現在の右映像フレームと前記以前の右映像フレームとの間に挿入する段階をさらに含むことができる。
【００１５】
本発明の目的は、３次元映像ディスプレイ装置において、送信された３次元映像信号を左映像フレームと右映像フレームに分離するデマルチプレクサー部と、前記左映像フレームと前記右映像フレームが順次に保存されるそれぞれのフレームメモリー部と、前記左映像フレームに基づいて動き予測及び動き補償を通じて左補間フレームを生成する中間左映像生成部と、前記右映像フレームに基づいて動き予測及び動き補償を通じて右補間フレームを生成する中間右映像生成部と、前記左映像フレームと前記右映像フレーム及び前記左補間フレームと前記右補間フレームを交代でディスプレイパネルに表示するパネル駆動部と、を含むことを特徴とする３次元映像ディスプレイ装置によっても達成されることができる。
【００１６】
３次元映像ディスプレイ装置は、前記左映像フレームと前記右映像フレームを前記ディスプレイパネルに適切な解像度に変換するスケーラー部をさらに含むことができる。
【００１７】
前記中間左映像生成部は、前記フレームメモリーの現在の左映像フレームを所定の大きさの多数のブロックに分割し、前記多数のブロックを以前の左映像フレームに設定された所定の探索領域と比べて前記現在のブロックに対する左映像動きベクターを予測する左映像動き予測部と；前記左映像動き予測部によって予測された前記左映像動きベクターに基づいて前記左補間フレームを生成する左映像動き補償部と；を含むことができる。
【００１８】
前記左映像動き補償部は、前記左補間フレームを前記現在の左映像フレームと前記以前の左映像フレームとの間に挿入することができる。
【００１９】
前記中間右映像生成部は、前記フレームメモリーの現在の右映像フレームを所定の大きさの多数のブロックに分割し、前記多数のブロックを以前の右映像フレームに設定された所定の探索領域と比べて前記現在のブロックに対する右映像動きベクターを予測する右映像動き予測部と；前記右映像動き予測部によって予測された前記右映像動きベクターに基づいて前記右補間フレームを生成する右映像動き補償部と；を含むことができる。
【００２０】
前記中間右映像生成部は、前記右補間フレームを前記現在の右映像フレームと前記以前の右映像フレームとの間に挿入することができる。
【００２１】
本発明の目的は、３次元映像ディスプレイ方法において、入力される３次元映像信号を一連の左映像フレームと一連の右映像フレームに分離する段階と；前記一連の左映像フレームの中で少なくとも一つに対する左補間フレームが挿入された一連の左映像フレームを出力する段階と；前記一連の右映像フレームの中で少なくとも一つに対する右補間フレームが挿入された一連の右映像フレームを出力する段階と；前記左補間フレームが挿入された一連の左映像フレーム及び前記右補間フレームが挿入された一連の右映像フレームを交代でディスプレイする段階と；を含む３次元映像ディスプレイ方法によっても達成されることができる。
【００２２】
前記左補間フレームが挿入された一連の左映像フレームを出力する段階は、前記少なくとも一つの左映像フレームの以前の左映像フレームを利用した動き予測に基づいて前記左補間フレームを生成する段階を含み、前記右補間フレームが挿入された一連の右映像フレームを出力する段階は、前記少なくとも一つの右映像フレームの以前の右映像フレームを利用した動き予測に基づいて前記右補間フレームを生成する段階を含むことができる。
【００２３】
前記左補間フレームが挿入された一連の左映像フレームを出力する段階は、前記左補間フレームを前記少なくとも一つの左映像フレームと、前記以前の左映像フレームとの間に挿入して出力する段階をさらに含み、前記右補間フレームが挿入された一連の右映像フレームを出力する段階は、前記右補間フレームを前記少なくとも一つの右映像フレームと、前記以前の右映像フレームとの間に挿入して出力する段階をさらに含むことができる。
【００２４】
本発明の目的は、３次元映像ディスプレイ装置において、３次元映像信号を受信する信号受信部と；前記信号受信部によって受信される前記３次元映像信号を一連の左映像フレームと一連の右映像フレームに分離し、前記一連の左映像フレームの中で少なくとも一つに対する左補間フレームが挿入された一連の左映像フレームと、前記一連の右映像フレームの中で少なくとも一つに対する右補間フレームが挿入された一連の右映像フレームを出力する信号処理部と；前記信号処理部によって出力される前記左補間フレームが挿入された一連の左映像フレーム及び前記右補間フレームが挿入された一連の右映像フレームを交代でディスプレイするディスプレイ部と；を含む３次元映像ディスプレイ装置によっても達成されることができる。
【００２５】
前記信号処理部は、前記少なくとも一つの左映像フレームの以前の左映像フレームを利用した動き予測に基づいて前記左補間フレームを生成し、前記少なくとも一つの右映像フレームの以前の右映像フレームを利用した動き予測に基づいて前記右補間フレームを生成することができる。
【００２６】
前記信号処理部は、前記左補間フレームを前記少なくとも一つの左映像フレームと前記以前の左映像フレームとの間に挿入して出力し、前記右補間フレームを前記少なくとも一つの右映像フレームと前記以前の右映像フレームとの間に挿入して出力することができる。
【発明の効果】
【００２７】
本発明によると、３次元映像ディスプレイ装置は、ハードウェア資源を追加しなくても、高品質の３次元映像を提供することができる。
【図面の簡単な説明】
【００２８】
【図１】一つのフレームにピクセル単位で左右映像データを共に配置して一枚の映像フレームを構成して送信された場合を示す図である。
【図２】左右映像を原本解像度そのままでそれぞれ一枚の映像フレームで構成して送信された場合を示す図である。
【図３】本発明の一実施形態による３次元映像ディスプレイ装置の構成を示す図である。
【図４】図３に示す３次元映像ディスプレイ装置の信号処理部及びディスプレイ部の構成を示す図である。
【図５】本発明の一実施形態による３次元映像フレームのディスプレイ手順を示す図である。
【図６】図３に示す３次元映像ディスプレイ装置の動作を示すフローチャートである。
【発明を実施するための形態】
【００２９】
以下、添付図面を参照して本発明の一実施形態に対して詳細に説明する。本発明は色々な形態で具現されることができるし、ここで説明する実施形態に限定されない。また、以下の実施形態の説明で、それぞれの構成要素の名称は、当業界で他の名称で呼称されることができるのに、これらが機能的に類似性と同一性があったら、ただ他の名称を使用しても本発明の実施形態と均等な構成であると見られる。同じく、図面上の構成を一部変形した実施形態が採用されても、機能的に類似性と同一性があったら、両者は均等な構成で見られる。
【００３０】
３次元立体映像技術は、左右二つの２次元映像を利用するステレオスコピック（Stereoscopic）立体映像方式がある。これは人間の視覚構造を模倣したことで、左右二つの２次元映像を利用して３次元映像を表現するステレオ立体映像方式であり、基本的な原理は、ユーザーの左眼と右眼に分離されて像が残ることによって両眼時差による３次元立体映像を見えることができる。
【００３１】
ステレオスコピック方式の３次元映像システムを具現するためには、人の左眼に見える映像と右眼に見える映像、即ち二つの映像を送信されなければならない。図１に示すように、一つのフレームにピクセル単位で左右映像データ１、２を共に配置し、一枚の映像フレーム３を構成してディスプレイ装置４に送信したり、或いはライン単位、フィールド単位などで左右映像データを共に配置して送信するｈａｌｆ  ｒｅｓｏｌｕｔｉｏｎ方式の送信が使用されている。
【００３２】
これは左右映像１、２をそれぞれ１/２の解像度になる映像に縮小した後、ピクセル単位、ライン単位で左右データを交番的に構成したり、フィールド単位、すなわち縮小映像を横方向（side−by−side  format）または縦方向（top−down  format）で結合して一つのフレームを作ることで、このような方式によると左右映像はそれぞれ解像度が損失されるのでスケーリングをしても原本より品質状態が低下される。
【００３３】
従って図２に示すように、左右映像１、２を原本解像度そのままそれぞれ一枚の映像フレーム５で構成してディスプレイ装置７に送るｆｕｌｌ  ｒｅｓｏｌｕｔｉｏｎ方式も使用されているのに、この方式は解像度は低下されないが、送信データ量が二倍で増えて周波数の帯域幅を二倍で高めて送信しなければならなくて、高解像度に行けば行くほどディスプレイ装置７に対して高仕様のハードウェア資源を必要とする。
【００３４】
３次元映像ディスプレイ装置４、７は、前記のような方式で送信された３次元映像信号を受信して左映像と右映像を分離し、それぞれの左右映像をスケーリングして、ディスプレイ装置４、７の解像度に合うように変換した後に、左右映像を交差でディスプレイする。
【００３５】
ところが、ｈａｌｆ  ｒｅｓｏｌｕｔｉｏｎ方式で送信された３次元映像信号の場合、ディスプレイ装置４でスケーリングしても、原本映像より低下された品質の映像を得るようになる。また、ｆｕｌｌ  ｒｅｓｏｌｕｔｉｏｎ方式で送信された３次元映像信号の場合も、データ処理量が増えるので、送信端と受信端の両方に高いハードウェア仕様が要求される。
【００３６】
図３は、３次元映像ディスプレイ装置の構成を示す図である。ディスプレイ装置１００は、ＴＶなどで具現されることができるし、３次元映像信号を受信及び処理して、これに基づいた３次元映像を表示する。図１に示すディスプレイ装置１は、信号受信部１０１、信号処理部１０２、ディスプレイ部１０３、ユーザー入力部１０４及び制御部１０５を含む。
【００３７】
信号受信部１０１は、外部から３次元映像信号を受信する。信号受信部１０１によって受信される３次元映像信号は、ＤＴＶ信号、ケーブル放送信号などのような放送信号を含む。この場合、信号受信部１０１は、制御部１０５の制御によってユーザーが選択したチャンネルの放送信号をチューニングして受信することができる。また、信号受信部１０１によって受信される３次元映像信号は、ＤＶＤプレーヤー、ＢＤプレーヤー、ＰＣなどのような映像器機（図示せず）から出力される信号を含むことができる。また、図示されなかったが、信号受信部１０１は、音声出力のための音声信号、データ情報の出力のためのデータ信号などをさらに受信することができる。本実施形態の映像信号、音声信号及びデータ信号は、一つの信号を通じて共に受信されることもできる。
【００３８】
信号処理部１０２は、信号受信部１０１によって受信された３次元映像信号に対してディスプレイ部１０３に３次元映像が表示されるように信号処理を行う。信号処理部１０２によって行われる信号処理は、３次元映像処理の以外に、デコーディング、イメージインヘンシング、スケーリングなどを含むことができる。本発明の一実施形態による信号処理部１０２の３次元映像処理に対しては以下でさらに詳しく説明する。一方、信号処理部１０２は、信号受信部１０１を通じて受信される音声信号及びデータ信号に対する処理をさらに行うこともできる。ディスプレイ装置１００は、信号処理部１０２によって処理された音声信号に基づいた音声を出力することができるスピーカーのような音声出力部（図示せず）をさらに含むことができる。
【００３９】
ディスプレイ部１０３は、信号処理部１０２によって処理された映像信号に基づいて映像を表示する。ディスプレイ部１０３が映像を表示する方式は、ＬＣＤ、ＰＤＰ、ＯＬＥＤ方式などであることができる。
【００４０】
ユーザー入力部１０４は、ユーザーの入力を受信するためのこととして、例えばリモコン、操作パネルなどで具現されることができる。ユーザー入力部１０４によって受信されたユーザーの入力は制御部１０５に伝達される。
【００４１】
制御部１０５は、ディスプレイ装置１００の他の構成を全般的に制御し、制御プログラムであるファームウェアと、これを行うためのＣＰＵ及びＲＡＭを含むことができる。
一方、ディスプレイ装置１００は、図示されなかったが、ディスプレイ部１０３などのような前記構成に動作電源を供給するための電源供給部、インターネットなどのようなネットワークを通じて通信を行う通信部、映像などマルチメディアコンテンツを保存するためのフラッシュメモリー、ハードディスクドライブなどの保存部などをさらに含むこともできる。
【００４２】
本実施形態では、３次元映像ディスプレイ装置１００としてＴＶを例えて説明するが、本発明の一実施形態による３次元映像ディスプレイ装置は、ここに限定されず、モニター、ノート・パソコン、移動端末機などのような多様な形態の装置で具現されることができる。
【００４３】
本発明による３次元映像ディスプレイ装置１００は、送信された３次元映像信号を左映像フレームと右映像フレームに分離して、それぞれの補間フレームを生成して元々の映像フレームに挿入して３次元映像をディスプレイすることができる。また本発明による３次元映像ディスプレイ装置１００は、補間フレームの生成時に動き予測と動き補償を利用することができる。
【００４４】
図４に示すように、３次元映像ディスプレイ装置１００の信号処理部１０２は、デマルチプレクサー（de−multiplexer）部２００、フレームメモリー部３００、中間左映像生成部４００及び中間右映像生成部５００を含み、ディスプレイ部１０３は、ディスプレイパネル８００及びパネル駆動部７００を含むことができる。
【００４５】
デマルチプレクサー部２００は、送信された３次元映像信号を左映像フレームと右映像フレームに分離する。デマルチプレクサー部２００によって、３次元映像信号がピクセル単位で左右映像データを共に配置して一枚の映像フレーム（図１の３を参照）を構成して送信された場合、奇数番目のピクセルと偶数番目のピクセルは、それぞれ左映像フレーム（または右映像フレーム）と右映像フレーム（または左映像フレーム）に分離される。
【００４６】
他の実試形態として、３次元映像信号がライン単位で左右映像データを共に配置して一枚の映像フレームを構成して送信された場合、奇数番目の垂直ライン（または水平ライン）と偶数番目の垂直ライン（または水平ライン）は、それぞれ左映像フレーム（または右映像フレーム）と右映像フレーム（または左映像フレーム）に分離される。
【００４７】
また他の実試形態として、３次元映像信号がフィールド単位で左右映像データを共に配置して一枚の映像フレームを構成して送信された場合、フレームの横方向で上部と下部はそれぞれ左映像フレーム（または右映像フレーム）と右映像フレーム（または左映像フレーム）に分離されたり（top−down  format）、フレームの縦方向で左側部と右側部がそれぞれ左映像フレーム（または右映像フレーム）と右映像フレーム（または左映像フレーム）に分離される（side−by−side  format）。
【００４８】
フレームメモリー部３００は、デマルチプレクサー部２００によって分離された左映像フレームと右映像フレームをそれぞれ該当するフレームメモリー３０１、３０２に順次に保存する。フレームメモリー部３００は、デマルチプレクサー部２００で分離された左映像フレームを順次に保存するための左映像フレームメモリー部３０１及び右映像フレームを順次に保存するための右映像フレームメモリー部３０２を含むことができる。図４に示すように、左映像フレームメモリー部３０１と、右映像フレームメモリー部３０２が別個のメモリーとして図示されているが、本発明はここに限定されず、左映像フレームメモリー部３０１と右映像フレームメモリー部３０２は、一つのフレームメモリー部３００内で割り当てられた別個のメモリー領域である形態で具現されることもできる。
【００４９】
中間左映像生成部４００は、左映像フレームに基づいて動き予測及び動き補償を通じて左補間フレームを生成する。
【００５０】
図４に示すように、中間左映像生成部４００は、左映像動き予測部４０１と左映像動き補償部４０２を含むことができる。
【００５１】
左映像動き予測部４０１は、入力される現在の左映像フレームと、左映像フレームメモリー部３０１に保存された以前の左映像フレーム４２１を利用して動き予測を進行する。左映像動き予測部４０１は、現在の左映像フレームがデマルチプレクサー部２００から直接に入力されることもできて、左映像フレームメモリー部３０１を通じて伝達されることもできる。
【００５２】
左映像動き予測部４０１は、所定の大きさのブロック単位で動き推定を行うことができる。例えば、左映像動き予測部４０１は、現在の左映像フレームを所定の大きさの多数のブロックに分割し、多数のブロックを以前の左映像フレームに設定された所定の探索領域と比べて、現在の左映像フレームブロックに対する左映像動きベクターを予測する。本発明の一実施形態による動きベクター予測方法では、ＳＡＤ（sum  of  absolute  difference）に基づくブロックマッチングアルゴリズム（Block  Matching  Algorithm  :  BMA）が利用されることができる。
【００５３】
左映像動き補償部４０２は、左映像動き予測部４０１から入力される左映像動きベクター４１２を利用して動き補償された左補間フレームを生成する。
【００５４】
図４に示すように、左映像動き補償部４０２は、左映像動きベクター４１２と、左映像フレームメモリー部３０１に保存された以前の左映像フレーム４２２と、現在の左映像フレームから予測フレーム、すなわち左補間フレームを生成し、生成された左補間フレームを現在の左映像フレームと以前の左映像フレームの間に挿入する。すなわち、左映像動き補償部４０２は、以前の左映像フレーム、左補間フレーム及び現在の左映像フレームを与えられたフレームレートに従って順次にパネル駆動部７００に出力する。左映像動き補償部４０２は、現在の左映像フレームがデマルチプレクサー部２００から直接に入力されたり、あるいは左映像動き予測部４０１や、左映像フレームメモリー部３０１を通じて伝達されることができる。
【００５５】
一方、中間右映像生成部５００は、右映像フレームに基づいて動き予測及び動き補償を通じて右補間フレームを生成する。
【００５６】
図４に示すように、中間右映像生成部５００は、右映像動き予測部５０１と右映像動き補償部５０２を含むことができる。
【００５７】
右映像動き予測部５０１は、入力される現在の右映像フレームと、右映像フレームメモリー部３０２に保存された以前の右映像フレーム５２１を利用して動き予測を進行する。右映像動き予測部５０１は、現在の右映像フレームがデマルチプレクサー部２００から直接に入力されることもできて、右映像フレームメモリー部３０２を通じて伝達されることもできる。
【００５８】
右映像動き予測部５０１は、所定の大きさのブロック単位で動きを推定することができる。例えば、右映像動き予測部５０１は、現在の右映像フレームを所定の大きさの多数のブロックに分割し、多数のブロックを以前の右映像フレームに設定された所定の探索領域と比べて、現在の右映像フレームブロックに対する右映像動きベクターを予測する。本発明の一実施形態による動きベクター予測方法では、ＳＡＤ（sum  of  absolute  difference）に基づくブロックマッチングアルゴリズム（Block  Matching    Algorithm  :  BMA）が利用されることができる。
【００５９】
右映像動き補償部５０２は、右映像動き予測部５０１から入力される右映像動きベクター５１２を利用して動き補償された右補間フレームを生成する。
【００６０】
図４に示すように、右映像動き補償部５０２は、右映像動きベクター５１２と、右映像フレームメモリー部３０２に保存された以前の右映像フレーム５２２と、現在の右映像フレームから予測フレーム、すなわち右補間フレームを生成し、生成された右補間フレームを現在の右映像フレームと以前の右映像フレームとの間に挿入する。すなわち、右映像動き補償部５０２は、以前の右映像フレーム、右補間フレーム及び現在の右映像フレームを与えられたフレームレートに従って順次にパネル駆動部７００に出力する。
【００６１】
ディスプレイパネル８００は、例えばＬＣＤ、ＰＤＰ、ＯＬＥＤなどのようなディスプレイデバイスを含むことができる。パネル駆動部７００は、左映像動き補償部４０２から連続的に入力される左補間フレームを含む一連の左映像フレームと、右映像動き補償部５０２から連続的に入力される右補間フレームを含む一連の右補間フレームを左右交代でディスプレイパネル８００に表示する。
【００６２】
以下では図５を参照して本発明の一実施形態による信号処理部１０２の３次元映像処理を付衍して説明する。左映像フレーム及び右映像フレームが、Ｌ１、Ｒ１、Ｌ２、Ｒ２、Ｌ３、Ｒ３…の形式で入力されると（図５の５１を参照）、まずＬ１、Ｌ２、Ｌ３…の左映像フレームは、図４に示す左映像フレームメモリー部３０１に保存され、Ｒ１、Ｒ２、Ｒ３…の右映像フレームは、右映像フレームメモリー部３０２に保存される。中間左映像生成部４００は、図４を参照して説明した現在の左映像フレームに該当するＬ１と、以前の左映像フレームに該当するＬ２を利用して左補間フレームに該当するＬ１−２フレームを生成する。一方、中間右映像生成部３００は、同じ方式で、Ｒ１及びＲ２を利用して右補間フレームであるＲ１−２フレームを生成する。
【００６３】
パネル駆動部７００は、３次元映像ディスプレイのため信号処理部１０２から入力される一連の左映像フレームと右映像フレームを交番的にディスプレイパネル８００に表示し、本発明の一実施形態によるディスプレイパネル８００に表示される映像フレームの順序は、Ｌ１、Ｒ１、Ｌ１−２、Ｒ１−２、Ｌ２、Ｒ２、Ｌ２−３、Ｒ２−３、Ｌ３、Ｒ３…の手順であることができる（図５の５２を参照）。
【００６４】
図６に示すように、本発明の一実施形態による３次元映像ディスプレイ装置１００の動作を説明する。ディスプレイ装置１００の信号処理部１０２は、入力される３次元映像信号を一連の左映像フレームと右映像フレームに分離する（６０１）。次に、信号処理部１０２は、一連の左映像フレームの中で少なくとも一つに対する左補間フレームが挿入された一連の左映像フレームをパネル駆動部７００に出力する（６０２）。動作６０２で、例えば、信号処理部１０２は、一連の左映像フレームの中で現在の左映像フレームに対して、その以前の左映像フレームを利用した動き予測に基づいて左補間フレームを生成し、生成された左補間フレームを以前の左映像フレームと現在の左映像フレームとの間に挿入した一連の左映像フレームを出力することができる。
【００６５】
一方、動作６０２のような方式で、信号処理部１０２は、一連の右映像フレームの中で少なくとも一つに対する右補間フレームが挿入された一連の右映像フレームをパネル駆動部７００に出力する（６０３）。動作６０３で、例えば、信号処理部１０２は、一連の右映像フレームの中で現在の右映像フレームに対して、その以前の右映像フレームを利用した動き予測に基づいて右補間フレームを生成し、生成された右補間フレームを以前の右映像フレームと現在の右映像フレームとの間に挿入した一連の右映像フレームを出力することができる。
【００６６】
パネル駆動部６０６は、左補間フレーム及び右補間フレームがそれぞれ挿入された一連の左映像フレーム及び右映像フレームを左右交代でディスプレイパネル８００にディスプレイする（６０６）。
【００６７】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００６８】
１０１  信号受信部
１０２  信号処理部
１０３  ディスプレイ部
１０４  制御部
１０５  ユーザー入力部
２００  デマルチプレクサー部
３０１  左映像フレームメモリー部
３０２  右映像フレームメモリー部  
４００  中間左映像生成部
４０１  左映像動き予測部
４０２  左映像動き補償部
５００  中間右映像生成部
５０１  右映像動き予測部
５０２  右映像動き補償部
７００  パネル駆動部
８００  ディスプレイパネル
【図１】
2011114861.tif 000003
【図２】
2011114861.tif 000004
【図３】
2011114861.tif 000005
【図４】
2011114861.tif 000006
【図５】
2011114861.tif 000007
【図６】
2011114861.tif 000008